(57)【要約】【課題】洗剤残りの防止と洗浄用水循環装置を用いたすすぎ性能の向上との両立を図り、優れたすすぎ性能を有する衣類処理装置を提供すること。【解決手段】すすぎ行程において、すすぎ行程のサイクルの１回目のみは、循環装置によるすすぎ用水の循環供給を行わない構成とすることで、洗い行程終了後の排水経路に留まる洗濯洗剤に含まれる不溶性成分を衣類に再付着させることなく、１サイクル目のすすぎ用水の排水によって排水経路に留まる不溶性成分の多くは排出されるので、すすぎ行程の２サイクル目以降では、洗浄用水循環装置を運転させても、不溶性成分は、排水経路には留まっていないため、不溶性成分を衣類に再付着させることはない。【選択図】図１
2018153215.tif 000002
【特許請求の範囲】
【請求項１】
本体筐体と、前記本体筐体内に収納される洗濯槽と、前記本体筐体に配設され、前記洗濯槽に洗剤を供給するための洗剤投入部と、前記本体筐体に配設され、前記洗剤投入部に水を供給し、前記洗剤投入部に投入された洗濯洗剤を溶解して給水経路を介して前記洗濯槽に供給するための給水弁と、前記洗濯槽内の水を排水する排水経路と、前記排水経路から分岐した循環経路により前記洗濯槽に水を循環する循環装置と、洗い、すすぎ、脱水の各行程を制御する制御部と、を備え、
前記制御部は、前記洗濯槽内へのすすぎ用水の供給、すすぎ用水の前記循環装置による循環供給、前記洗濯槽の回動、前記洗濯槽からのすすぎ用水の排水までを１つのすすぎサイクルとし、前記すすぎ行程において、前記サイクルの１回目のみは、前記循環装置による循環供給を行わないよう構成することを特徴とする衣類処理装置。
【発明の詳細な説明】
【技術分野】
【０００１】
本発明は、衣類を洗濯、脱水及び／又は乾燥するための衣類処理装置に関する。
【背景技術】
【０００２】
洗濯用水が排水に至る経路から分岐し、再び洗濯用水が洗濯槽内に至る循環経路を設けた衣類処理装置が開発されている（例えば、特許文献１参照）。
【０００３】
特許文献１は、洗濯用水が排水に至る経路から分岐される構造が形成されており、分岐の排水に至る経路の他の一方には、洗濯槽内に至る経路が設けられ、洗濯槽内に再び洗濯用水を衣類に循環供給する、いわゆる洗濯用水の循環装置を有した衣類処理装置である。
【先行技術文献】
【特許文献】
【０００４】
【特許文献１】欧州特許第０７７８３６７号明細書
【発明の概要】
【発明が解決しようとする課題】
【０００５】
昨今では、洗濯用水、すなわち洗い用水およびすすぎ用水の循環装置には、洗濯用水が排水に至る経路から分岐される構造が形成され、排水に至る経路の他の一方には、洗濯槽内に至る経路が設けられており、洗濯槽内に至る経路には、凡そ洗濯槽の上方に洗濯用水の出口となるノズルを備えており、洗濯槽内に至る経路には、ノズルから洗濯用水を十分に放出するに必要となる揚水能力を有したポンプを備えており、洗濯用水は、洗濯槽内に納められた衣類の上方より再び供給可能となるため、すなわち衣類の上方からの洗濯用水の循環供給による洗い性能の向上及びすすぎ性能の向上が可能となるように循環装置が形成されている。
【０００６】
洗い行程においては、粉末状の洗濯洗剤が広く用いられており、洗濯洗剤は、衣類処理装置に設けられた洗剤投入部に納められ、洗剤投入部には上水道より衣類処理装置に備える給水弁を介して上水が供給されるので、洗剤投入部では、洗濯洗剤は、上水によって溶解され洗い用水となり、洗剤投入部は、洗濯槽に至る経路を有しているので、洗い用水は洗濯槽内に至り、したがって洗い用水は洗濯槽内の衣類に供給される。
【０００７】
また、洗い行程の次行程となるすすぎ行程においても、洗い行程同様に、洗剤投入部には、上水道より洗濯処理装置に備える給水弁を介して上水が供給されるが、既に洗濯洗剤は、洗い行程で使用されているので、すなわち上水のみが衣類に供給される。
【０００８】
粉末状の洗濯洗剤に含まれる成分の中には、洗浄力の向上を目的とした水質硬度軟化剤、いわゆるゼオライトなどの不溶性の成分が含まれており、不溶性成分は、上水によって溶解することはないので、洗濯槽の下方すなわち洗濯用水が排水に至る経路に至り、循環装置によって洗濯用水と共に洗濯槽内に納められた衣類に再び循環供給される。
【０００９】
洗い行程が終了し、洗い用水を排水し、すすぎ行程に移行する、すなわち洗い用水が排水に至る経路から下水道に排水される際には、排水経路から分岐される循環装置は、洗い用水の循環を停止するので、洗い用水および洗浄力の向上を目的とした水質硬度軟化剤などの不溶成分の衣類への再供給は行わない。その際には、不溶性成分は、洗い用水が排水に至る経路において、不溶性成分は、洗い用水の排水と共に十分には排出しきれずに排水経路に留まることとなる。
【００１０】
よって、洗い用水の排水の次行程のすすぎ行程において、すすぎ用水として供給された上水を洗濯槽の上方より衣類に再供給してすすぎ性能を向上させるために循環装置を運転した際には、洗い行程からすすぎ行程に移行する間に排水に至る経路に留まった不溶性成分をすすぎ用水と共に再び洗濯槽の上方から衣類に供給する場合がある。この場合、不溶性成分を衣類に再付着させる場合があるので、いわゆる洗剤残りと言われる、すすぎ行程における弊害を招いていた。
【００１１】
本発明は、すすぎ行程において、洗い行程からすすぎ行程に移行する間に排水に至る経路に留まった不溶性成分が衣類に再付着するのを抑制し、洗剤残りを防ぐことができ、優れたすすぎ性能を有する衣類処理装置を提供することを目的とする。
【課題を解決するための手段】
【００１２】
前記従来の課題を解決するために、本発明の衣類処理装置は、本体筐体と、前記本体筐体内に収納される洗濯槽と、前記本体筐体に配設され、前記洗濯槽に洗剤を供給するための洗剤投入部と、前記本体筐体に配設され、前記洗剤投入部に水を供給し、前記洗剤投入部に投入された洗濯洗剤を溶解して給水経路を介して前記洗濯槽に供給するための給水弁と、前記洗濯槽内の水を排水する排水経路と、前記排水経路から分岐した循環経路により前記洗濯槽に水を循環する循環装置と、洗い、すすぎ、脱水の各行程を制御する制御部と、を備え、前記制御部は、前記洗濯槽内へのすすぎ用水の供給、すすぎ用水の前記循環装置による循環供給、前記洗濯槽の回動、前記洗濯槽からのすすぎ用水の排水までを１つのすすぎサイクルとし、前記すすぎ行程において、前記サイクルの１回目のみは、前記循環装置による循環供給を行わないよう構成するものである。
【発明の効果】
【００１３】
本発明に係る衣類処理装置は、不溶性成分の衣類への再付着を抑制し、洗剤残りの抑制とすすぎ性能の向上を図ることのできる衣類処理装置を提供することができる。
【図面の簡単な説明】
【００１４】
【図１】本発明の実施の形態１の洗い行程における衣類処理装置の斜視図
【図２】同洗い行程後の排水ホースの概略図
【図３】同洗浄用水循環装置によるすすぎ用水の循環供給を行った際の衣類処理装置の斜視図
【図４】同すすぎ行程の排水ホースの概略図
【図５】同すすぎ行程においてすすぎ用水を排水した際の排水ホースの図
【図６】同すすぎ行程においてすすぎ用水を排水した際の排水ホースの図
【発明を実施するための形態】
【００１５】
第１の発明の衣類処理装置は、本体筐体と、前記本体筐体内に収納される洗濯槽と、前記本体筐体に配設され、前記洗濯槽に洗剤を供給するための洗剤投入部と、前記本体筐体に配設され、前記洗剤投入部に水を供給し、前記洗剤投入部に投入された洗濯洗剤を溶解して給水経路を介して前記洗濯槽に供給するための給水弁と、前記洗濯槽内の水を排水する排水経路と、前記排水経路から分岐した循環経路により前記洗濯槽に水を循環する循環装置と、洗い、すすぎ、脱水の各行程を制御する制御部と、を備え、前記制御部は、前記洗濯槽内へのすすぎ用水の供給、すすぎ用水の前記循環装置による循環供給、前記洗濯槽の回動、前記洗濯槽からのすすぎ用水の排水までを１つのすすぎサイクルとし、前記すすぎ行程において、前記サイクルの１回目のみは、前記循環装置による循環供給を行わないよう構成するものである。
【００１６】
なお、衣類処理装置は、洗剤投入部にて洗濯洗剤を洗い用水として使用した後には、洗
い用水と同様に洗濯槽に上水、すなわちすすぎ用水を供給することができる。以降は、洗濯用水とは、洗い用水、もしくはすすぎ用水を意味するものとする。
【００１７】
衣類処理装置は、洗い行程、すすぎ行程、脱水行程を経て洗濯槽内に納めた衣類の洗濯を行うが、洗い行程、すすぎ行程においては、洗浄用水循環装置により洗濯用水を洗濯槽内に納められた衣類の上方より循環供給することができる。
【００１８】
洗い行程が終了し、洗い用水を排水してすすぎ行程に行程移行する。洗い用水が排水経路から下水道に排水される際には、洗濯洗剤に含まれる不溶性成分は、洗い用水と共に十分に排出はされることはなく、その一部は前述排水ホースに留まる。
【００１９】
すすぎ行程においては、洗剤投入部から洗濯槽内へのすすぎ用水の供給、およびすすぎ用水の循環装置による循環供給、衣類の攪拌の後、すすぎ用水の排水までを１つのすすぎサイクルとする。すすぎ行程においては、サイクルを２回もしくは２回以上が行われる。
【００２０】
第１の発明では、すすぎ行程のサイクルの１回目のみは、循環装置による循環供給を行わない。これにより、洗い行程からすすぎ行程に移行する間に排水経路に留まる洗濯洗剤に含まれる不溶性成分をすすぎ用水と共に再び洗濯槽の上方から衣類に供給させ衣類に再付着させてしまうことはない。１回目のサイクルのすすぎ用水の排水によって排水経路に留まる不溶性成分の多くを下水道に排出させることが出来る。すすぎ行程の２回目のサイクルで循環装置を運転すると、排水経路には、不溶性成分は、ほとんど留まっていないため、不溶性成分を衣類に再付着させることはない。したがって、洗剤残りの防止と循環装置を用いたすすぎ性能の向上との両立を図ることのできるので、優れたすすぎ性能を有する衣類処理装置を提供することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における衣類処理装置の斜視図、図２は、洗い行程後の排水ホースの図、図３は、すすぎ行程における衣類処理装置の斜視図、図４は、すすぎ行程１サイクル目に洗浄用水循環装置によるすすぎ用水の循環供給を行なった場合の図、図５は、すすぎ行程においてすすぎ用水を排水した際の排水ホースの図、図６は、すすぎ行程の２サイクル目以降に洗浄用水循環装置によるすすぎ用水の循環供給を行った場合の図を示すものである。
【００２３】
図１に示すように、衣類処理装置１００の本体筐体１１０の内部には、洗濯槽１１２が揺動自在に配設され、洗濯槽１１２の内部には、回転ドラム１１１が回転自在に配設される。回転ドラム１１１は、洗濯槽１１２の背面に外側より取り付けられたモータ１１３により回転駆動される。
【００２４】
本実施の形態では、衣類処理装置１００は、少なくとも洗い行程、すすぎ行程、脱水行程、乾燥行程を行う機能を有したいわゆるドラム式洗濯乾燥機を構成している。しかし、乾燥系は省略することができる。
【００２５】
衣類処理装置１００を運転するための運転操作部１２０が、本体筐体１１０の右側に配設され、運転操作部１２０の左側に洗剤投入部１３０が配設される。洗剤投入部１３０には、水質軟化剤などの不溶性成分１４１を含んだ洗濯洗剤１４０を投入できる構成となっている。
【００２６】
衣類処理装置１００には、上水道等から上水１５０を供給するための給水弁１６０が設けられ、給水弁１６０からの上水１５０は、洗剤投入部１３０と洗濯槽１１２に供給される。
【００２７】
洗剤投入部１３０に投入された洗濯洗剤１４０は、上水１５０によって溶解されて洗い用水１７０となり、洗い用水１７０を送るための経路となる給水ホース１８０を介して洗剤投入部１３０から洗濯槽１１２に供給する。さらに、洗い用水１７０を洗濯槽１１２より下水道へ排水するための経路となる排水ホース１９０と、排水ホース１９０から洗い用水１７０を排出するに必要となる揚水能力を有した排水ポンプ１９１と、を備えている。
【００２８】
排水ホース１９０には、排水ホース１９０の途中に排水の経路を分ける排水分岐部２０１が配設されており、排水分岐部２０１により洗濯槽１１２に至る経路となる循環ホース２０２が分岐される。循環ホース２０２の終端には、洗濯槽１１２の上方に位置に洗い用水１７０の循環供給口となる循環ノズル２０３が設けられている。循環ホース２０２には、循環ポンプ２０４が配設され、循環ポンプ２０４によって循環ノズル２０３から洗い用水１７０を十分に放出する。排水ホース１９０、排水分岐部２０１、循環ホース２０２及び循環ポンプ２０４によって構成される循環装置２００が構成される。
【００２９】
なお、衣類処理装置１００は、洗い行程において洗濯洗剤１４０を洗い用水１７０として使用した後には、すすぎ行程においては、洗濯槽１１２には、上水１５０、すなわちすすぎ用水１５１として供給することができる。
【００３０】
衣類処理装置１００では、洗い行程、すすぎ行程、脱水行程を経て洗濯槽１１２に収められた衣類３００の洗濯を行うが、洗い行程、すすぎ行程においては、循環装置２００により、それぞれ洗い用水１７０、すすぎ用水１５１を洗濯槽１１２内に納められた衣類３００に対して上方より循環供給することができる。
【００３１】
図２に示すように、洗い行程の最終段階において洗い用水１７０は、排水ポンプ１９１を稼動し、排水ホース１９０から下水道に排出されるが、洗濯洗剤１４０に含まれる不溶性成分１４１は、洗い用水１７０と共に完全に排出されることはなく、排水ホース１９０内には、不溶性成分１４１の一部が留まることとなる。
【００３２】
洗い行程の次のすすぎ行程においては、洗剤投入部１３０から洗濯槽１１２へのすすぎ用水１５１の供給、およびすすぎ用水１５１の循環装置２００による循環供給されるすすぎ用水１５１１、併せて回転ドラム１１１を回動させることにより衣類３００の攪拌の後、すすぎ用水１５１の排水ポンプ１９１を稼動し、排水ホース１９０から下水道に排水するまでを１つのサイクルとして、すすぎ行程においては、２回、もしくは２回以上のサイクルが行われる。
【００３３】
すすぎ行程において、１回目のサイクルで、循環装置２００によりすすぎ用水１５１を回転ドラム１１１内に供給する場合には、図４に示すように、排水ホース１９０内に溜まった不溶性成分１４１は、すすぎ用水１５１と共に回転ドラム１１１内に供給されることになる。
【００３４】
本実施の形態では、すすぎ行程のサイクルの１回目のみは、循環装置２００によるすすぎ用水１５１１の循環供給を行わない。図５に示すように、洗い行程からすすぎ行程に移行する間に排水ホース１９０に留まっている不溶性成分１４１１は、すすぎ用水１５１によって洗濯槽１１２の上方から衣類３００に供給されることはなく、大部分の不溶性成分１４１１は、１回目のサイクルのすすぎ用水１５１と共に下水道に排出される。よって、すすぎ行程において不溶性成分１４１１を衣類３００に再付着することを抑制することが
できる。
【００３５】
すすぎ行程の２サイクル目以降においては、循環装置２００を運転してすすぎ用水１５２を循環供給させ、すすぎ用水１５２１を洗濯槽１１２内に納められた衣類３００に供給する。排水ホース１９０内に留まっている不溶性成分１４１１は、１サイクル目の排出によってほぼ排出されている。図６に示すように、洗濯槽１１２に供給されるすすぎ用水１５２１には、不溶性成分１４１１は、ほとんど含まれていない。したがって、不溶性成分１４１１を衣類３００に再付着させることはなく、いわゆる洗剤のこりの防止と循環装置２００を用いたすすぎ性能の向上との両立を図ることができるので、優れたすすぎ性能を有する衣類処理装置を提供することができる。
【産業上の利用可能性】
【００３６】
本発明に係る衣類処理装置は、すすぎ行程において、すすぎ行程のサイクルの１回目のみは、洗浄用水循環装置によるすすぎ用水の循環供給を行わないことで、洗い行程終了後の排水ホースに留まる洗濯洗剤に含まれる不溶性成分を衣類に再付着させることなく、かつ１サイクル目のすすぎ用水の排水によって、排水ホースに留まる不溶性成分の多くは排出されるので、すすぎ行程の２サイクル目以降では、洗浄用水循環装置を運転した場合には、不溶性成分は、排水ホースにはほとんど留まっていないため、不溶性成分を衣類に再付着させることなく、洗剤残りの防止と洗浄用水循環装置を用いたすすぎ性能の向上との両立を図ることが可能になるので、他の衣類処理装置の用途にも適用できる。
【符号の説明】
【００３７】
１００  衣類処理装置
１１０  本体筐体
１１１  回転ドラム
１１２  洗濯槽
１１３  モータ
１２０  運転操作部
１３０  洗剤投入部
１４０  洗濯洗剤
１４１  不溶性成分
１４１１  不溶性成分
１５０  上水
１５１  すすぎ用水（１サイクル目）
１５１１  すすぎ用水（１サイクル目の循環）
１５２  すすぎ用水（２サイクル目）
１５２１  すすぎ用水（２サイクル目の循環）
１６０  給水弁
１７０  洗い用水
１８０  給水ホース
１９０  排水ホース
１９１  排水ポンプ
２００  循環装置
２０１  排水分岐部
２０２  循環ホース
２０３  循環ノズル
２０４  循環ポンプ
３００  衣類
【図１】
2018153215.tif 000003
【図２】
2018153215.tif 000004
【図３】
2018153215.tif 000005
【図４】
2018153215.tif 000006
【図５】
2018153215.tif 000007
【図６】
2018153215.tif 000008